(57)【要約】【課題】形状モデルは製品形状を厳密に表現しており、解析精度にはほとんど影響しない部分形状をたくさん含んでいる。解析対象の形状モデルにおける解析に不要な部分形状を効率よく簡略化する形状モデル簡略化装置を提供する。【解決手段】簡略化候補部自動抽出手段１０９が、形状モデルデータ１０３に対して形状モデルの外側方向に基準パラメータ１０６だけ拡大した形状と形状モデルの内側方向に基準パラメータ１０６だけ縮小した形状を作成し、拡大した形状と形状モデルを比較し、縮小した形状と形状モデルを比較し、消滅した部分形状および反転した部分形状を検索し、検索条件に合致した部分形状を簡略化候補部分形状データ１１１とするので、簡略化する基準パラメータ１０５を入力し、または、簡略化データベース１０７から簡略化データを選択するだけで、フィーチャ情報の無い形状モデルに対しても、解析に不要な形状を自動的に抽出し、解析用形状モデルを効率よく作成できる。【選択図】        図１
2004220081.tif 000002
【特許請求の範囲】
【請求項１】
形状モデルに基づいて解析に不要な部分形状を簡略化した解析用形状モデルを作成する形状モデル簡略化装置において、
前記形状モデルを入力する形状モデルデータ入力手段と、
前記形状モデルの部分形状に対して前記部分形状と大小を比較するための基準パラメータを入力する基準パラメータ指定手段と、
前記基準パラメータの範囲内に収まる部分形状を自動的に検索し検索に合致した部分形状を簡略化候補部分形状として抽出する簡略化候補部自動抽出手段と、前記簡略化候補部分形状から簡略化する部分形状を選択する簡略化部分選択手段と、
選択された部分形状を取り除いた解析用形状モデルを作成する簡略化手段とを備えたことを特徴とする形状モデル簡略化装置。
【請求項２】
請求項１に記載の形状モデル簡略化装置において、
前記簡略化候補部自動抽出手段が、
前記形状モデルの外側方向に前記基準パラメータだけ拡大した形状を作成し、前記拡大した形状と前記形状モデルとを比較し、消滅した部分形状および反転した部分形状を検索し、検索条件に合致した部分形状を簡略化候補部分形状として登録する手段と、
前記形状モデルの内側方向に前記基準パラメータだけ縮小した形状を作成し、前記縮小した形状と前記形状モデルとを比較し、消滅した部分形状および反転した部分形状を検索し、検索条件に合致した部分形状を簡略化候補部分形状として登録する手段とを含むことを特徴とする形状モデル簡略化装置。
【請求項３】
請求項１または２に記載の形状モデル簡略化装置において、前記簡略化候補部自動抽出手段により抽出された簡略化候補部分形状を強調表示する簡略化候補部強調表示手段を備えたことを特徴とする形状モデル簡略化装置。
【請求項４】
形状モデルに基づいて解析に不要な部分形状を簡略化した解析用形状モデルを作成する形状モデル簡略化装置において、
前記形状モデルを入力する形状モデルデータ入力手段と、
前記形状モデルの部分形状に対して前記部分形状と大小を比較するための基準パラメータを入力する基準パラメータ指定手段と、
簡略化する部分形状のデータを簡略化名称とともに簡略化データベースに登録する簡略化データベース登録手段と、
簡略化対象を指定し前記簡略化データベースから読み込んだ部分形状のデータを前記基準パラメータとして出力する簡略化パラメータ選択手段と、
前記基準パラメータの範囲内に収まる部分形状を自動的に検索し検索に合致した部分形状を簡略化候補部分形状として抽出する簡略化候補部自動抽出手段と、前記簡略化候補部分形状から簡略化する部分形状を選択する簡略化部分選択手段と、
選択された部分形状を取り除いた解析用形状モデルを作成する簡略化手段とを備えたことを特徴とする形状モデル簡略化装置。
【請求項５】
請求項４に記載の形状モデル簡略化装置において、
前記簡略化候補部自動抽出手段が、
前記形状モデルの外側方向に前記基準パラメータだけ拡大した形状を作成し、前記拡大した形状と前記形状モデルとを比較し、消滅した部分形状および反転した部分形状を検索し、検索条件に合致した部分形状を簡略化候補部分形状として登録する手段と、
前記形状モデルの内側方向に前記基準パラメータだけ縮小した形状を作成し、前記縮小した形状と前記形状モデルとを比較し、消滅した部分形状および反転した部分形状を検索し、検索条件に合致した部分形状を簡略化候補部分形状として登録する手段とを含むことを特徴とする形状モデル簡略化装置。
【請求項６】
請求項４または５に記載の形状モデル簡略化装置において、前記簡略化候補部自動抽出手段により抽出された簡略化候補部分形状を強調表示する簡略化候補部強調表示手段を備えたことを特徴とする形状モデル簡略化装置。
【発明の詳細な説明】
【０００１】
【発明の属する技術分野】
本発明は、計算機を用いた数値解析により物理現象を数値的に模擬するＣＡＥ（Ｃｏｍｐｕｔｅｒ  Ａｉｄｅｄ  Ｅｎｇｉｎｅｅｒｉｎｇ）システムに係り、特に、３次元形状モデラで作成した形状モデルに基づいて、解析に不要な部分形状を簡略化した解析用形状モデルを作成する形状モデル簡略化装置に関する。
【０００２】
【従来の技術】
形状モデルから解析に不要な部分形状を簡略化する代表的技術としては、次の２つの方法がある。
【０００３】
第１の技術は、簡略化の種類と対象形状要素とをユーザが指示すると、前記形状要素と平行であって凹，凸，滑らかのいずれかの接続状態にある部分形状を形状データから抽出し、抽出した部分形状を除去し、簡略モデルを作成する方法である（例えば、特許文献１参照。）。
【０００４】
第２の技術は、形状モデルの属性として付与されているフィーチャが有する寸法データ，面積データ，体積データに対して、簡略化対象フィーチャとして大小を比較するための寸法パラメータ，面積パラメータ，体積パラメータを入力し、入力したパラメータより小さいデータを有するフィーチャを検索し、検索されたフィーチャを除去し、簡略モデルを作成する方法である（例えば、特許文献２参照。）。
【０００５】
【特許文献１】
特開平０６−２５９５０５号公報（第４〜５頁，図２〜図６）
【特許文献２】
特開２０００−３３１１９４号公報（第３〜４頁，図２〜図４）
【０００６】
【発明が解決しようとする課題】
これらの形状モデル簡略化方法には、次のような問題があった。
【０００７】
第１の技術では、簡略化する部形状を対話的に一つ一つ選択する必要があり、複数の形状要素を一括して指定できないので、複雑な形状モデルになるほど簡略化の工数が増大する。
【０００８】
第２の技術では、フィーチャを除去して形状を簡略化する際に、フィーチャ単位でのみ形状を簡略化できる。異なる３次元形状モデラ間で形状モデルデータを変換した形状モデルや、ＩＧＥＳ（Ｉｎｉｔｉａｌ  Ｇｒａｐｈｉｃｓ  Ｅｘｃｈａｎｇｅ  Ｓｐｅｃｉｆｉｃａｔｉｏｎ），Ｐａｒａｓｏｌｉｄなどの形状モデルデータ中間ファイルを解して入力した形状モデルは、フィーチャ情報が無くなってしまうので、形状を簡略化できない。また、フィーチャの情報は、３次元形状モデラで形状モデルを作成するプロセスに依存して異なるために、形状モデル作成プロセスによっては、簡略化できない部分形状もある。
【０００９】
本発明の目的は、解析対象の形状モデルにおける解析に不要な部分形状を効率よく簡略化する形状モデル簡略化装置を提供することである。
【００１０】
【課題を解決するための手段】
本発明は、上記目的を達成するために、形状モデルに基づいて解析に不要な部分形状を簡略化した解析用形状モデルを作成する形状モデル簡略化装置において、前記形状モデルを入力する形状モデルデータ入力手段と、前記形状モデルの部分形状に対して前記部分形状と大小を比較するための基準パラメータを入力する基準パラメータ指定手段と、前記基準パラメータの範囲内に収まる部分形状を自動的に検索し検索に合致した部分形状を簡略化候補部分形状として抽出する簡略化候補部自動抽出手段と、前記簡略化候補部分形状から簡略化する部分形状を選択する簡略化部分選択手段と、選択された部分形状を取り除いた解析用形状モデルを作成する簡略化手段とを備えた形状モデル簡略化装置を提案する。
【００１１】
本発明によれば、簡略化する基準パラメータを入力するだけで、簡略化候補部自動抽出手段が、フィーチャ情報の無い形状モデルに対しても解析に不要な部分形状を自動的に抽出し、解析用形状モデルを効率よく作成できる。
【００１２】
本発明は、また、形状モデルに基づいて解析に不要な部分形状を簡略化した解析用形状モデルを作成する形状モデル簡略化装置において、前記形状モデルを入力する形状モデルデータ入力手段と、前記形状モデルの部分形状に対して前記部分形状と大小を比較するための基準パラメータを入力する基準パラメータ指定手段と、簡略化する部分形状のデータを簡略化名称とともに簡略化データベースに登録する簡略化データベース登録手段と、簡略化対象を指定し前記簡略化データベースから読み込んだ部分形状のデータを前記基準パラメータとして出力する簡略化パラメータ選択手段と、前記基準パラメータの範囲内に収まる部分形状を自動的に検索し検索に合致した部分形状を簡略化候補部分形状として抽出する簡略化候補部自動抽出手段と、前記簡略化候補部分形状から簡略化する部分形状を選択する簡略化部分選択手段と、選択された部分形状を取り除いた解析用形状モデルを作成する簡略化手段とを備えた形状モデル簡略化装置を提案する。
【００１３】
本発明によれば、入力された簡略化データが、簡略化名称と対応付けて簡略化データベースに登録されていくので、本装置使用者の経験やベテランのノウハウが蓄積され、より使いやすくなる。
【００１４】
前記簡略化候補部自動抽出手段は、より具体的には、前記形状モデルの外側方向に前記基準パラメータだけ拡大した形状を作成し、前記拡大した形状と前記形状モデルとを比較し、消滅した部分形状および反転した部分形状を検索し、検索条件に合致した部分形状を簡略化候補部分形状として登録する手段と、前記形状モデルの内側方向に前記基準パラメータだけ縮小した形状を作成し、前記縮小した形状と前記形状モデルとを比較し、消滅した部分形状および反転した部分形状を検索し、検索条件に合致した部分形状を簡略化候補部分形状として登録する手段とを含む。
【００１５】
本発明によれば、全体の構造解析にほとんど影響しない小さな孔や外形の構造が無視され、自動的に簡略化される。
【００１６】
装置使用者が簡略化候補部分を見やすくするためには、前記簡略化候補部自動抽出手段により抽出された簡略化候補部分形状を強調表示する簡略化候補部強調表示手段を備えることができる。
【００１７】
【発明の実施の形態】
次に、図１〜図１５を参照して、本発明による形状モデル簡略化装置の実施形態を説明する。
【００１８】
図１は、本発明による形状モデル簡略化装置のシステム構成を示すブロック図である。
【００１９】
本実施形態の形状モデル簡略化装置は、入出力装置１０１と、形状モデルデータ入力手段１０２と、形状モデルデータベース１０３と、基準パラメータ指定手段１０４と、基準パラメータデータ１０５と、簡略化データベース登録手段１０６と、簡略化データベース１０７と、簡略化パラメータ選択手段１０８と、簡略化候補部自動抽出手段１０９と、簡略化候補部強調表示手段１１０と、簡略化候補部分形状データ１１１と、簡略化部分選択手段１１２と、簡略化部分形状データ１１３と、簡略化手段１１４と、解析用形状モデルデータベース１１５とからなる。
【００２０】
入出力装置１０１は、システム使用者がデータを入力し表示するためのキーボード，ポインティングデバイス，ディスプレイなどを含む。形状モデルデータ入力手段１０２は、形状モデルを入力し形状モデルデータベース１０３に登録する。基準パラメータ指定手段１０４は、簡略化の基準となる基準パラメータを入力し基準パラメータデータ１０５として登録する。
【００２１】
簡略化データベース登録手段１０６は、解析対象毎に簡略化パラメータを簡略化データベース１０７に登録する。簡略化パラメータ選択手段１０８は、簡略化データベース１０７から簡略化パラメータを選択し基準パラメータデータ１０５に登録する。
【００２２】
簡略化候補部自動抽出手段１０９は、形状モデルデータに対して形状モデルの外側方向に基準パラメータだけ拡大した形状と形状モデルの内側方向に基準パラメータ１０６だけ縮小した形状とを作成し、拡大した形状と形状モデルとを比較し、縮小した形状と形状モデルとを比較し、消滅した部分形状および反転した部分形状を検索し、検索条件に合致した部分形状を簡略化候補部分形状データ１１１として登録する。
【００２３】
簡略化候補部強調表示手段１１０は、簡略化候補部分形状データ１１１に登録されている部分形状を強調表示する。簡略化部分選択手段１１２は、強調表示された簡略化候補部分から簡略化する部分形状を選択し、選択された簡略化候補部分を簡略化部分形状データ１１３に登録する。簡略化手段１１４は、簡略化部分形状データ１１３に登録されている部分形状を取り除いて作成した解析用形状モデルを解析用形状モデルデータベース１１５に登録する。
≪基準パラメータ指定手段１０４≫
図２は、基準パラメータ指定手段１０４の画面構成の一例を示す図である。本装置使用者は、入出力装置１０１を用いて、図２の操作画面上に基準パラメータとして、簡略化する部分形状の最小値２０１および最大値２０２を入力する。実行ボタン２０３を押した時点で、最小値２０１および最大値２０２に入力された数値データを基準パラメータデータ１０５の最小値２０１および最大値２０２に登録する。
【００２４】
なお、最小値データとして何も入力されなかった場合は、０（ゼロ）が登録される。
【００２５】
図３は、基準パラメータデータ１０５のデータ構成の一例を示す図である。基準パラメータデータ１０５には、簡略化する部分形状の最小値２０１と最大値２０２とが登録される。
≪簡略化データベース登録手段１０６≫
図４は、簡略化データベース登録手段１０６の画面構成の一例を示す図である。本装置使用者は、入出力装置１０１を用いて、図４の操作画面上で、簡略化データベース１０７に登録する簡略化名称４０２，簡略化する部分形状の最小値４０３，最大値４０４を入力する。
【００２６】
登録ボタン４０５を押した時点で、簡略化名称４０２，最小値４０３，最大値４０４に入力されたデータをそれぞれ簡略化データベース１０７の簡略化名称４０２，最小値４０３，最大値４０４に登録する。
【００２７】
なお、最小値データとして何も入力されなかった場合は、０（ゼロ）が登録される。
【００２８】
図５は、簡略化データベース１０７のデータ構成の一例を示す図である。簡略化データベース１０７には、簡略化種類の識別子４０１と、簡略化名称４０２と、簡略化する部分形状の最小値４０３と、最大値４０４とが登録される。
【００２９】
図２の基準パラメータ指定手段１０４の場合は、入力された最小値２０１および最大値２０２が、基準パラメータデータ１０５として一時的に登録されるだけである。
【００３０】
これに対して、図４および図５の場合は、入力された最小値４０３および最大値４０４が、簡略化名称４０２と対応付けて簡略化データベース１０７に登録されていくので、本装置使用者の経験やベテランのノウハウが蓄積され、より使いやすくなる。
≪簡略化パラメータ選択手段１０８≫
図６は、簡略化パラメータ選択手段１０８の画面構成の一例を示す図である。簡略化パラメータ選択手段１０８は、簡略化データベース１０７からデータを読み込み、簡略化名称の一覧６０１を表示する。本装置使用者は、入出力装置１０１を用いて、簡略化名称の一覧６０１から簡略化対象を指定する。
【００３１】
簡略化パラメータ選択手段１０８は、簡略化データベース１０７から簡略化名称４０２に対応する最小値４０３，最大値４０４を読み込み、基準パラメータデータ１０５の最小値２０１，最大値２０２として登録する。
≪簡略化候補部自動抽出手段１０９≫
図７は、簡略化候補部自動抽出手段１０９の処理手順の一例を示すフローチャートであり、図８は、簡略化候補部を検索し抽出する方法の一例を説明する図である。
【００３２】
ＳＴＥＰ７０１：形状モデルデータベース１０３から形状モデルデータを読み込み、基準パラメータデータ１０５を読み込む（８０１）。
【００３３】
ＳＴＥＰ７０２：形状モデルを基準パラメータデータ１０５の最小値２０１に登録されている数値だけ形状モデルの外側方向に拡大した形状を作成する（８０２）。
【００３４】
ＳＴＥＰ７０３：拡大した形状と形状モデルとを比較し、消滅した部分形状および反転した部分形状を検索し、これらの形状を非簡略化部分形状とする。
【００３５】
ＳＴＥＰ７０４：形状モデルを基準パラメータデータ１０５の最小値２０１に登録されている数値だけ形状モデルの内側方向に縮小した形状を作成する（８０３）。
【００３６】
ＳＴＥＰ７０５：縮小した形状と形状モデルとを比較し、消滅した部分形状および反転した部分形状を検索し、これらを非簡略化部分形状とする。
【００３７】
ＳＴＥＰ７０６：形状モデルを基準パラメータデータ１０５の最大値２０２に登録されている数値だけ形状モデルの外側方向に拡大した形状を作成する（８０４）。
【００３８】
ＳＴＥＰ７０７：拡大した形状と形状モデルとを比較し、消滅した部分形状および反転した部分形状を検索し、これらを簡略化部分形状とする。
【００３９】
ＳＴＥＰ７０８：形状モデルを基準パラメータデータ１０５の最大値２０２に登録されている数値だけ形状モデルの内側方向に縮小した形状を作成する（８０５）。
【００４０】
ＳＴＥＰ７０９：縮小した形状と形状モデルとを比較し、消滅した部分形状および反転した部分形状を検索し、これらを簡略化部分形状とする。
【００４１】
ＳＴＥＰ６１０：簡略化部分形状に含まれているが非簡略化部分形状に含まれていない部分形状を簡略化候補部分形状データ１１１に登録する（８０６）。
【００４２】
一方、基準パラメータデータ１０５の最小値２０１として０（ゼロ）が登録されている場合は、ＳＴＥＰ７０２〜７０５の手順を省略する。
【００４３】
以上の処理で、簡略化候補部分を自動的に抽出する。
【００４４】
なお、本装置使用者が指定した基準パラメータと検索される簡略化候補部分との関係を明確に把握できるように、この処理手順の概要は、操作マニュアルなどに記載することが望ましい。
≪簡略化候補部強調表示手段１１０≫
図９の右側は、簡略化候補部強調表示手段１１０の画面構成の一例を示す図であり、図１０は、簡略化候補部分形状データ１１１および簡略化部分形状データ１１３のデータ構成の一例を示す図である。
【００４５】
簡略化候補部分形状データ１１１および簡略化部分形状データ１１３には、簡略化形状の識別子１００１と簡略化対象の面群，線群のデータ１００２とが登録される。
【００４６】
簡略化候補部強調表示手段１１０は、読み込まれた簡略化候補部分形状データ１１１において、簡略化対象の面群，線群のデータ１００２に登録されいる面群，線群を強調表示する。強調表示とは、入出力装置１０１上に面群，線群を拡大して表示したり、色を変えて表示することである。図９右側は、２つの孔を強調した図形９０１を表示している。
【００４７】
なお、強調表示は、主に本装置使用者が簡略化対象の面群，線群を見やすくするための手段であって、後述の簡略化手段１１４にとっては、簡略化対象部分を簡略化しない部分と区別できる他の対策がなされていれば、強調表示は、絶対に必要なものというわけではない。
≪簡略化部分選択手段１１２≫
図９の左側は、簡略化部分選択手段１１２の画面構成の一例を示す図である。
【００４８】
簡略化部分選択手段１１２は、簡略化形状の識別子１００１に関連している面群，線群毎に、簡略化の有無の確認を促す。個別に簡略化するために「簡略化する」ボタン９０２が選択された場合は、簡略化形状の識別子１００１および面群，線群１００２のデータを簡略化部分形状データ１１３に登録する。
【００４９】
一方、「全てを簡略化する」ボタン９０４を選択した場合は、この簡略化部分選択処理をスキップし、簡略化候補部分形状データ１１１に登録されている全てのデータを簡略化部分形状データ１１３に登録する。
【００５０】
「簡略化しない」ボタン９０３が選択された場合は、簡略化を中止し、一つ前の処理に戻る。
≪簡略化手段１１４≫
図１１は、簡略化手段１１４における簡略化処理手順の一例を示すフローチャートである。
【００５１】
ＳＴＥＰ１１０１：簡略化手段１１４は、簡略化部分形状データ１１３を読み込む。
【００５２】
ＳＴＥＰ１１０２：簡略化手段１１４は、簡略化部分形状データ１１３の面群，線群のデータ１００２に登録されている面群，線群を形状モデルから除去する。
【００５３】
ＳＴＥＰ１１０３：簡略化手段１１４は、除去した各面，線に基づいて隣接する面，線を互いに交差するまで接線方向に延長する。
【００５４】
ＳＴＥＰ１１０４：簡略化手段１１４は、面，線の交差部分を超えた部分を切り取る。
【００５５】
本実施形態において、簡略化候補部自動抽出手段１０９は、形状モデルデータに対して形状モデルの外側方向に基準パラメータだけ拡大した形状と形状モデルの内側方向に基準パラメータ１０６だけ縮小した形状とを作成し、拡大した形状と形状モデルとを比較し、縮小した形状と形状モデルとを比較し、消滅した部分形状および反転した部分形状を検索し、検索条件に合致した部分形状を簡略化候補部分形状データ１１１として登録するので、簡略化する基準パラメータ１０５を入力し、または、簡略化データベース１０７から簡略化データを選択するだけで、フィーチャ情報の無い形状モデルに対しても、解析に不要な形状を自動的に抽出し、解析用形状モデルを効率よく作成できる。
≪本発明による形状モデル簡略化装置の具体的動作例≫
ここでは、コネクティングロッド部品の形状モデルを簡略化する例を説明する。  図１２は、簡略化対象形状としてコネクティングロッド部品の形状モデルを示す図である。この形状モデル１２０１は製品形状を厳密に表現しており、解析精度にはほとんど影響しない角丸めや孔を多数含んでいる。そこで、実際の解析では、形状を簡略化してから数値解析を実行する。
【００５６】
図１３は、４種類の簡略化データが登録されている簡略化データベース１０７を示す図である。図１２の欄１２０２は、簡略化データベース１０７に登録されている簡略化データの一覧を表示する。本装置使用者は、この欄１２０２から希望の簡略化データを指定する。ここでは「強度解析（線形）」を選択したと仮定する。
【００５７】
図１４は、簡略化部分が強調表示され、簡略化の要否および方式の選択を促すボタンが配置されている状態を示す図である。ここでは「全てを簡略化」ボタンが押されたと仮定する。
【００５８】
図１５は、図１２の形状モデル１２０１に対して簡略化後の解析用形状モデルを示す図である。
【００５９】
このように、本装置使用者は、簡略化する基準パラメータ１０５を入力し、または、簡略化データベース１０７に登録されている簡略化データを選択するだけで、フィーチャ情報の無い形状モデルに対しても、簡略化された信頼性の高い解析用形状モデルを容易に作成できる。
【００６０】
【発明の効果】
本発明によれば、簡略化する基準パラメータを入力し、または、簡略化データベースから簡略化データを選択するだけで、フィーチャ情報の無い形状モデルに対しても解析に不要な部分形状を自動的に抽出し、解析用形状モデルを効率よく作成できる。
【図面の簡単な説明】
【図１】本発明による形状モデル簡略化装置のシステム構成を示すブロック図である。
【図２】基準パラメータ指定手段の画面構成の一例を示す図である。
【図３】基準パラメータデータのデータ構成の一例を示す図である。
【図４】簡略化データベース登録手段の画面構成の一例を示す図である。
【図５】簡略化データベースのデータ構成の一例を示す図である。
【図６】簡略化パラメータ選択手段の画面構成の一例を示す図である。
【図７】簡略化候補部自動抽出手段の処理手順の一例を示すフローチャートである。
【図８】簡略化候補部を検索し抽出する方法の一例を説明する図である。
【図９】簡略化候補部強調表示手段および簡略化部分選択手段の処理の一例を説明する図である。
【図１０】簡略化候補部分形状データおよび簡略化部分形状データのデータ構成の一例を示す図である。
【図１１】簡略化手段における簡略化処理手順の一例を示すフローチャートである。
【図１２】簡略化対象形状としてコネクティングロッド部品の形状モデルを示す図である。
【図１３】４種類の簡略化データが登録されている簡略化データベースを示す図である。
【図１４】簡略化部分が強調表示され、簡略化の要否および方式の選択を促すボタンが配置されている状態を示す図である。
【図１５】図１２の形状モデルに対して簡略化後の解析用形状モデルを示す図である。
【符号の説明】
１０１  入出力装置
１０２  形状モデルデータ入力手段
１０３  形状モデルデータベース
１０４  基準パラメータ指定手段
１０５  基準パラメータデータ
１０６  簡略化データベース登録手段
１０７  簡略化データベース
１０８  簡略化パラメータ選択手段
１０９  簡略化候補部自動抽出手段
１１０  簡略化候補部強調表示手段
１１１  簡略化候補部分形状データ
１１２  簡略化部分選択手段
１１３  簡略化部分形状データ
１１４  簡略化手段
１１５  解析用形状モデルデータベース
【図１】
2004220081.tif 000003
【図２】
2004220081.tif 000004
【図３】
2004220081.tif 000005
【図４】
2004220081.tif 000006
【図５】
2004220081.tif 000007
【図６】
2004220081.tif 000008
【図７】
2004220081.tif 000009
【図８】
2004220081.tif 000010
【図９】
2004220081.tif 000011
【図１０】
2004220081.tif 000012
【図１１】
2004220081.tif 000013
【図１２】
2004220081.tif 000014
【図１３】
2004220081.tif 000015
【図１４】
2004220081.tif 000016
【図１５】
2004220081.tif 000017